(57)【要約】【課題】本発明は、電話送受話器、基地、及び送受話器のソフトウェアを更新するための関連する方法に関する。【解決手段】通信基地（１．１１）は、ソフトウェアアプリケーションにより動作する通信装置（１．１）と通信する無線インターフェース（１．４）と、充電器回路（１．１２）と、ソフトウェアの新しいバージョンを検出する手段（１．２２）とを有する。通信基地は、前記充電器回路（１．１２）が前記通信装置のバッテリー（１．２０）充電回路（１．２）へ接続される場合に、新しいソフトウェアバージョンの有効性を無線手段を介して通信装置に通知する手段と、通信装置へ新しいソフトウェアバージョンを送信する手段とを有する。【選択図】図１
2007159120.tif 000002
【特許請求の範囲】
【請求項１】
ソフトウェアアプリケーションにより動作する通信装置と通信する無線インターフェースと、充電器回路と、前記ソフトウェアの新しいバージョンを検出する手段とを有する通信基地であって、
前記新しいソフトウェアバージョンの有効性を無線手段によって前記通信装置に通知する手段と、
前記充電器回路が前記通信装置のバッテリーの充電回路へ接続される場合に前記通信装置へ前記新しいソフトウェアバージョンを送信する手段とを有することを特徴とする通信基地。
【請求項２】
前記通信装置へ前記新しいソフトウェアバージョンを送信する手段は、前記充電器回路を使用することを特徴とする請求項１記載の通信基地。
【請求項３】
前記新しいソフトウェアとの前記通信装置の互換性を確認する手段を有することを特徴とする請求項１又は２記載の通信基地。
【請求項４】
前記充電器回路による通信は、万能非同期送受信機（ＵＡＲＴ）通信プロトコルにより実行される、ことを特徴とする請求項２記載の通信基地。
【請求項５】
家庭内無線電話用の基地であることを特徴とする請求項１乃至４のうちいずれか一項記載の通信基地。
【請求項６】
前記無線インターフェースは、デジタル・エンハンスド・コードレス・コミュニケーション（ＤＥＣＴ）規格に従う、ことを特徴とする請求項１乃至５のうちいずれか一項記載の通信基地。
【請求項７】
前記ソフトウェアの新しいバージョンを検出し、ダウンロードするための通信ネットワークへのインターフェースを有することを特徴とする請求項１乃至６のうちいずれか一項記載の通信基地。
【請求項８】
基地と通信する無線インターフェースと、充電回路と、ユーザインターフェースとを有し、ソフトウェアにより動作する通信装置であって、
前記基地によって新しいソフトウェアバージョンを通知される場合に、前記ユーザインターフェースで前記ソフトウェアの新しいバージョンの有効性を示す手段を有することを特徴とする装置。
【請求項９】
前記充電回路が前記基地の充電器回路へ接続される場合に前記ソフトウェアの新しいバージョンを受信する手段を有する、ことを特徴とする請求項８記載の装置。
【請求項１０】
前記新しいソフトウェアバージョンを受信する前記手段は、前記充電回路を使用する、ことを特徴とする請求項９記載の装置。
【請求項１１】
電話送受話器である、ことを特徴とする請求項８乃至１０のうちいずれか一項記載の装置。
【請求項１２】
基地と通信する無線インターフェースと、充電回路と、ユーザインターフェースとを有し、ソフトウェアアプリケーションにより動作する電話送受話器において、前記基地からの前記新しいソフトウェアバージョンの有効性に関する情報の受信段階を有し、前記ソフトウェアの新しいバージョンをダウンロードするための方法であって、
前記新しいソフトウェアの有効性の、前記送受話器のユーザインターフェースでの表示ステップを有することを特徴とする方法。
【請求項１３】
前記送受話器の充電回路が前記基地の充電器回路へ接続される場合に前記ソフトウェアの新しいバージョンのダウンロードステップを有する、ことを特徴とする請求項１２記載の方法。
【請求項１４】
ソフトウェアアプリケーションにより動作する電話送受話器と通信し、前記送受話器と通信するための無線インターフェースと、充電器回路と、前記ソフトウェアの新しいバージョンを検出する手段とを有する基地において、新しいソフトウェアバージョンの検出段階と、前記新しいソフトウェアバージョンが前記送受話器によってサポートされることを確認する段階と、前記基地により前記新しいソフトウェアバージョンの有効性について前記送受話器に通知する段階とを有し、前記ソフトウェアの新しいバージョンをダウンロードするための方法であって、
前記送受話器の充電回路が前記基地の充電器回路へ接続される場合に、
前記送受話器のソフトウェアが更新されるべきことを確認するステップと、
前記送受話器に前記基地の新しいバージョンをダウンロードするステップとを有することを特徴とする方法。
【請求項１５】
前記送受話器の充電回路が前記基地の充電器回路へ接続される場合に前記ソフトウェアの新しいバージョンのダウンロードステップを有する、ことを特徴とする請求項１４記載の方法。
【請求項１６】
前記ダウンロードステップは、ネットワークに置かれたサーバと前記送受話器との間で発生する、ことを特徴とする請求項１４又は１５記載の方法。
【発明の詳細な説明】
【技術分野】
【０００１】
本発明は、電話送受話器、基地、及び送受話器のソフトウェアを更新するための関連する方法に関する。
【背景技術】
【０００２】
本発明は、ソフトウェアアプリケーションにより動作する電話送受話器と、送受話器が基地で充電中である場合にソフトウェアの更新を可能にする基地とに関する。この基地がネットワークへ接続されている場合には、電話送受話器のソフトウェアは、ネットワークを介してソフトウェアの更新を受信する。
【０００３】
本発明は、また、基地により送受話器の新しいソフトウェアの読み込みを実行するための方法に関する。
【特許文献１】欧州特許第１５３６６５４号
【特許文献２】米国特許第５６８９８２５号
【特許文献３】英国特許公開第２３１０３４４号
【特許文献４】独国特許出願公開１００５４９４３号
【発明の開示】
【発明が解決しようとする課題】
【０００４】
以上より、本発明は、ソフトウェアアプリケーションにより動作する通信装置と通信する無線インターフェースと、充電器回路と、ソフトウェアの新しいバージョンを検出する手段とを有する通信基地を提供することを目的とする。
【０００５】
また、本発明は、基地と通信する無線インターフェースと、充電回路と、ユーザインターフェースとを有し、ソフトウェアにより動作する通信装置を提供することを目的とする。
【０００６】
また、本発明は、基地と通信する無線インターフェースと、充電回路と、ユーザインターフェースとを有し、ソフトウェアアプリケーションにより動作する電話送受話器において前記ソフトウェアの新しいバージョンをダウンロードする方法を提供することを目的とする。当該方法は、前記基地から前記新しいソフトウェアバージョンの有効性に関する情報を受信するステップを有する。
【０００７】
また、本発明は、ソフトウェアアプリケーションにより動作する電話送受話器と通信する基地において、前記ソフトウェアの新しいバージョンをダウンロードするための方法を提供することを目的とする。前記基地は、また、前記送受話器と通信するための無線インターフェースと、充電器回路と、前記ソフトウェアの新しいバージョンを検出する手段とを有する。当該方法は、新しいソフトウェアバージョンを検出するステップと、前記新しいソフトウェアバージョンが前記送受話器によってサポートされることを確認するステップと、前記基地により前記新しいソフトウェアバージョンの有効性について前記送受話器に通知するステップとを有する。
【課題を解決するための手段】
【０００８】
本発明に従って、当該基地は、前記新しいソフトウェアバージョンの有効性を無線手段を介して前記通信装置に通知する手段と、前記充電器回路が前記通信装置のバッテリー充電回路へ接続される場合に前記通信装置へ前記新しいソフトウェアバージョンを送信する手段とを有する。
【０００９】
予期しない方法で、当該基地は、無線リンクによってソフトウェアの新しいバージョンを自動的には送信しない。しかし、当該基地は、新しいソフトウェアバージョンが有効であると送受話器に通知する。前記送受話器は、現在のソフトウェアバージョンにより動作し続け、新しいソフトウェアバージョンは、前記送受話器が前記バッテリー充電回路を介して当該基地へ接続される場合にのみダウンロードされる。
【００１０】
一実施形態に従って、前記通信装置へ前記新しいソフトウェアバージョンを送信する手段は、前記充電器回路を使用する。
【００１１】
実施されるメカニズムは、当該基地と前記送受話器との間の充電接点を使用しており、従って、更なるコネクタは不要である。如何なる特定の操作も実行するようユーザに要求する必要はない。更新は、ユーザに完全に透過な方法で実現可能である。実施されるメカニズムは、送受話器に加えられるべき如何なる余分のメモリも必要としない。前記充電回路による動作の利点は、一時的に新しいアプリケーションを格納するための余分のメモリを必要としない点である。更に、ダウンロードするプログラムにより占有される空間は、また、著しく低減され、ソフトウェアの新しいバージョンを読み込むために特別に無線プロトコルをサポートする必要はない。
【００１２】
一実施形態で、当該通信基地は、前記新しいソフトウェアとの前記通信装置の互換性を確認する手段を有する。
【００１３】
実際には、当該基地へ接続された全ての送受話器が、同じソフトウェアバージョンと互換性があるようサポートされているわけではなく、新しいバージョンは、ある送受話器にのみ関連しうる。
【００１４】
一実施形態に従って、前記充電回路による通信は、万能非同期送受信機（ＵＡＲＴ）通信プロトコルにより実行される。
【００１５】
一実施形態に従って、当該通信基地は、家庭内無線電話用の基地である。
【００１６】
一実施形態に従って、前記無線リンクは、デジタル・エンハンスド・コードレス・コミュニケーション規格に従う。
【００１７】
一実施形態に従って、当該通信基地は、前記ソフトウェアの新しいバージョンを検出し、ダウンロードするための通信ネットワークへのインターフェースを有する。
【００１８】
本発明に従って、当該通信装置は、基地によって新しいソフトウェアバージョンを通知される場合に、ユーザインターフェースで前記ソフトウェアの新しいバージョンの有効性を示す手段を有する。
【００１９】
ソフトウェアは、無線リンクを介して自動的にダウンロードされない。しかし、送受話器は、新しいバージョンの有効性を通知される。ユーザは、また、送受話器のユーザインターフェースを介して、その新しいバージョンが利用可能であるかどうかを知ることができる。ユーザは、その新しいバージョンが利用可能であるかどうかを確認する必要はなく、その確認は基地により自動的に起こる。
【００２０】
一実施形態に従って、当該通信装置は、前記充電回路が前記基地の充電器回路へ接続される場合に前記ソフトウェアの新しいバージョンを受信する手段を有する。
【００２１】
一実施形態に従って、前記新しいソフトウェアバージョンを受信する前記手段は、前記充電回路を使用する。
【００２２】
一実施形態に従って、当該通信装置は、電話送受話器である。
【００２３】
本発明に従って、当該方法は、新しいソフトウェアの有効性の、前記送受話器のユーザインターフェースでの表示ステップを有する。
【００２４】
一実施形態に従って、当該方法は、前記送受話器の充電回路が前記基地の充電器回路へ接続される場合に前記ソフトウェアの新しいバージョンをダウンロードするステップを有する。
【００２５】
本発明に従って、送受話器の充電回路が基地の充電器回路へ接続される場合に、当該方法は、前記送受話器のソフトウェアが更新されるべきことを確認するステップと、前記送受話器に前記基地の新しいバージョンをダウンロードするステップとを有する。
【００２６】
一実施形態に従って、当該方法は、前記送受話器の充電回路が前記基地の充電器回路へ接続される場合に前記ソフトウェアの新しいバージョンをダウンロードするステップを有する。
【００２７】
一実施形態に従って、前記ダウンロードステップは、ネットワークに置かれたサーバと前記送受話器との間で発生する。
【発明の効果】
【００２８】
本発明により、基地と送受話器との間の充電接点を使用することにより、更なるコネクタは不要となる。また、如何なる特定の操作も実行するようユーザに要求する必要はない。更新は、ユーザに完全に透過な方法で実現可能である。更に、本発明は、送受話器に加えられるべき如何なる余分のメモリも必要としない。即ち、充電回路による動作の利点は、一時的に新しいアプリケーションを格納するための余分のメモリを必要としない点である。更に、ダウンロードするプログラムにより占有される空間は、また、著しく低減され、ソフトウェアの新しいバージョンを読み込むために特別に無線プロトコルをサポートする必要はない。
【発明を実施するための最良の形態】
【００２９】
本発明は、別途添付された図面を参照して、限定されずに、以下の実施例を用いて説明される。
【実施例】
【００３０】
図１で、示されるモジュールは、物理的に区別できるユニットに対応しうる、又は対応し得ない機能ユニットである。例えば、これらのモジュール又はそれらの幾つかは、単一の構成要素に集められうる、あるいは同じソフトウェアの機能を構成する。逆に、幾つかのモジュールは、場合により、別個の物理的実体から構成されうる。同じ参照符号は、異なる図面において同一又は類似する要素を示す。
【００３１】
図１は、本実施例に従う送受話器１．１及び基地１．１１を示す。
【００３２】
送受話器１．１は、ＣＰＵとしても表され、メモリ１．５及びメモリ１．１０を制御する処理装置１．３と、無線インターフェース１．４と、充電回路１．２とを有する。これらは、内部通信バス１．８により接続されている。メモリ１．５は、アプリケーションソフトウェア１．６を有する。メモリ１．１０は、以後ブートメモリと呼ばれ、例えば、フラッシュメモリであっても良い。ブートメモリ１．１０は、スターターソフトウェア１．７を有する。スターターソフトウェア１．７は、送受話器１．１が起動される場合に処理装置１．３で自動的に実行される。送受話器の動作モードでは、スターターソフトウェア１．７は、アプリケーションソフトウェア１．６が不可欠であることを確認する。次に、スターターソフトウェア１．７は、送受話器にその通常モードでその機能の全てを動作させるように、アプリケーションソフトウェア１．６を処理装置１．３上に読み込む。送受話器の機能とは、特に、ＤＥＣＴプロトコル及びアプリケーション、ユーザインターフェース、並びに電話サービスである。
【００３３】
送受話器１．１は、また、ユーザインターフェース１．９を有する。本実施例で、ユーザインターフェース１．９は、スクリーン及びキーパッドにある。送受話器１．１は、また、基地１．１１から充電回路１．２を介して再充電されるバッテリー１．２０を有する。バッテリー１．２０は、送受話器１．１の正確な動作のために必要とされるエネルギーを供給する。
【００３４】
基地１．１１は、内部通信バス１．１８によって接続された、ＣＰＵとも呼ばれる処理装置１．１３と、メモリ１．１５と、無線インターフェース１．１４と、充電器回路１．１２と、モデム１．１６と、ネットワークインターフェース１．１７とを有する。
【００３５】
メモリ１．１５は、送受話器、及び送受話器によってサポートされるソフトウェアのバージョンに関する識別モジュール１．２１と、新しい利用可能なソフトウェアバージョンに関する検出モジュール１．２２と、送受話器のソフトウェアを更新するモジュール１．２３とを有する。更新モジュール１．２３は、また、ソフトウェアの新しいバージョンの有効性を送受話器に通知するよう設計される。
【００３６】
ネットワークインターフェース１．１７は、基地１．１１がＤＳＬ型リンクを介してインターネット形式のネットワーク（ＴＣＰ／ＩＰプロトコル）へ接続されることを可能にする。ネットワークインターフェース１．１７は、また、電話用途が実施されることを可能にするよう電話ネットワークへ基地１．１１をリンクすることもできる。
【００３７】
本実施例で、無線インターフェースは、ＤＥＣＴ規格と互換性を有する。送受話器１．１は、ＤＥＣＴ電話である。
【００３８】
他の実施例に従って、無線インターフェースは、例えばＢｌｕｅｔｏｏｔｈ（登録商標）又はＷｉ−Ｆｉ規格に準拠する他の形式の無線ローカルネットワークとの互換性を有しても良い。
【００３９】
本実施例で、充電回路１．２は、基地１．１１と送受話器１．１との間の通信リンクとして、それらが充電回路１．２により接続される場合に使用される。充電回路１．２の物理インターフェースは、一方で基地１．１１にあり、他方で送受話器１．１にある、図１では符号‘＋’及び‘−’により表される２つの充電接点により構成される。この物理層、即ち、ＵＡＲＴと表記される万能非同期送受信機（Ｕｎｉｖｅｒｓａｌ  Ａｓｙｎｃｈｒｏｎｏｕｓ  Ｒｅｃｅｅｉｖｅｒ  Ｔｒａｎｓｍｉｔｔｅｒ）の上では、ハーフデュプレックスとも呼ばれる双方向交流プロトコルが、また、実施される。このリンク上のフローは、１１５ｋｂｐｓに達する、又はそれを超えることがある。主要物理層について、以下で更に説明する。
【００４０】
送受話器でソフトウェアの更新を実施するためにＵＡＲＴ上で使用されるプロトコルは、操作におけるエラーの場合でさえソフトウェアのインテグリティを確実にし、送受話器に加えられるべき余分のメモリを必要としない。このプロトコル、及び物理インターフェースの制御を実施するソフトウェアは、このブートメモリに物理的に格納される。このブートメモリは、アプリケーションソフトウェアを含むメモリに対して極めて小さい。
【００４１】
図２は、基地１．１１及び送受話器１．１を示す。基地１．１１は、ネットワークインターフェース１．１７を介してネットワーク２．１へ接続されている。これは、新しいソフトウェアバージョンを有するサーバ２．２へのアクセスを提供する。本実施例で、基地１．１１は、新しい利用可能なソフトウェアバージョンを検出するように、定期的にサーバ２．２を調べる。他の実施例で、サーバ２．２は、新しいソフトウェアバージョンが利用可能である場合に基地１．１１に通知する。
【００４２】
図３は、基地が送受話器により使用されるソフトウェア又はファームウェアの新しいバージョンの有効性に関する情報を受信する場合の、無線リンクを介する基地と送受話器との間の交換を示す。このような交換において、送受話器は、その通常の動作モードにある。
【００４３】
ソフトウェアの新しいバージョンは、基地１．１１によって初期設定でダウンロードされない。基地１．１１は、新しいソフトウェアバージョンが利用可能であると決定するために、インターネットネットワークに置かれたサーバ２．２を調べる。新しいソフトウェアバージョンが利用可能である（３．１）場合に、基地１．１１は、送受話器１．１の幾つかが新しいバージョンにより影響を及ぼされるかどうかを判断するよう送受話器１．１に尋ね（３．２）、これらの送受話器１．１が異なるモデルであって、従って、互いに異なるバージョンをサポートしうることを知る。基地１．１１は、関連する送受話器１．１のリストを作成し（３．３）、次に、関連する送受話器１．１に警告する（３．４）。送受話器１．１に対する警告は、待ち受け画面に現れる吹き出しであり、待ち受け画面には「更新可能。今すぐインストールしますか？」というメッセージが表示される。基地１．１１は、送受話器１．１による承認を受けて、新しいソフトウェアを読み込む。
【００４４】
最後に、基地１．１１は、送受話器１．１を更新する決定をする。即ち、更新は、送受話器１．１が基地１．１１へ接続されている場合に起こりうる。
【００４５】
基地１．１１は、ソフトウェアの新しいバージョンが利用可能であることを知る場合に、そのバージョンを自動的にダウンロードしない。基地１．１１は、送受話器１．１が新しいバージョンに関係があることを予め確実にする。他の実施例では、基地１．１１は、送受話器１．１が影響を及ぼされるかどうかを確認する前にソフトウェアの新しいバージョンをダウンロードする。
【００４６】
ソフトウェアの新しいバージョンによって影響を及ぼされる送受話器の確認の間に、基地１．１１は、新しいバージョンとの互換性を確立するよう送受話器１．１からの情報を要求する。夫々の送受話器１．１に関して、基地１．１１は、送受話器１．１の識別子と、サポートされるソフトウェアのバージョンとを確認する。本実施例で、送受話器１．１の識別子は、ＤＥＣＴ規格で定められたものに対応し、それは、ＩＰＥＩと記されるインターナショナル・パーソナル・イクイップメント・アイデンティティである。
【００４７】
図４は、更新を継続するよう基地により決定された場合のソフトウェアの更新ステップを示す。
【００４８】
更新のキネマティクスは、以下の通りである：
送受話器１．１は、充電回路１．２により基地１．１１へ接続する。送受話器１．１が基地１．１１へ接続される（４．１）場合に、基地１．１１は、送受話器１．１が、実際に、更新に関連する送受話器のリストの一部であるかどうかを確認する（４．２及び４．３）。この場合に、送受話器１．１は起動する（４．４）。そうでない場合には、送受話器１．１は、更新されずに、使用可能なままである（４．１２）。即ち、送受話器１．１は、その動作の通常モードにある。
【００４９】
起動後、もはやその通常動作モードにはない送受話器１．１は、例えば１００ｍｓでありうる期間に、ダウンロード要求メッセージを待つ（４．５）。メッセージがその期間中に受信されない場合には、更新は実行されず、ソフトウェア全体が確認される（４．１０）。メッセージが受信される（４．６）場合には、データ転送モードのネゴシエーションが基地１．１１と送受話器１．１との間で行われる（４．７）。これは、例えば、送受話器１．１の種類の決定、ダウンロードすべきアプリケーションのサイズの決定、及び送信ブロックのサイズの決定を有する。
【００５０】
データが送信される（４．８及び４．９）。データ送信は、連続したブロックで行われる。夫々のブロックの受信は、受信の確認応答によって送受話器１．１により認証される。
【００５１】
ブロックが送信された場合に、ソフトウェアのインテグリティが確認される（４．１０）。符号定数が負である場合には、送受話器はダウンロードメッセージを待つ状態となる（４．５）。符号定数が正である場合には、ソフトウェアは起動することができる（４．１１）。その場合に、送受話器は再び使用可能となる（４．１２）。
【００５２】
他の実施例で、充電回路１．２が基地１．１１と送受話器１．１とを接続する場合に、送受話器１．１と基地１．１１との間で使用される通信リンクは、充電回路１．２のリンクとは異なる。通信リンクは、例えば、無線リンクであっても良い。
【００５３】
バッテリー充電による基地１．１１と送受話器１．１との間の通信インターフェースの動作原理は、以下の通りである：基地１．１１の充電電圧は、基地１．１１の充電器回路１．１２を介して、基地１．１１の処理装置１．１３により制御される。送受話器１．１によって引き込まれる電流は、送受話器１．１の充電回路１．２を介して、送受話器１．１の処理装置１．３によって制御される。
【００５４】
図５及び図６は、トランジスタ及び抵抗を用いた基地及び送受話器の充電器回路を示す。図５で示されるように、基地１．１１の充電器回路１．１２において、基地１．１１の処理装置１．１３から入力される信号ＣＨＡＲＧＥＲ＿ＤＩＡＬＯＧ＿ＥＮＡＢＬＥは、通常、低論理レベルにある。故に、トランジスタＱ４は飽和する。これは、トランジスタＱ１を飽和させる効果を有する。充電電圧（一般的に９Ｖ）は、基地１．１１の正及び負の接点の間に存在しており、処理装置１．１３のＵＡＲＴは、他の機能のために使用されうる。遮断トランジスタＱ３は、送受話器１．１のバッテリー充電電流とは無関係に、ＵＡＲＴの受信信号、即ちＣＰＵ＿ＵＡＲＴ＿ＲＸＤを高いレベルのままとする。
【００５５】
データを送受話器１．１へ送るよう、処理装置１．１３は、信号ＣＨＡＲＧＥＲ＿ＤＩＡＬＯＧ＿ＥＮＡＢＬＥを高論理レベル（３．３Ｖ）へ切り替える。この状況で、処理装置１．１３のＵＡＲＴの出力（非同期シリアルポート）ＣＰＵ＿ＵＡＲＴ＿ＴＸＤは、バッテリー充電電圧を制御する。
【００５６】
基地１．１１での送信に関して、基地１．１１のＵＡＲＴプロトコルが高いレベルを発する場合に、充電電圧は、充電接点に存在する。即ち、ＣＰＵ＿ＵＡＲＴ＿ＴＸＤが高論理レベルにある場合には、Ｑ１は飽和し、充電電圧は基地１．１１の接点にある。基地１．１１のＵＡＲＴプロトコルが低いレベルを発する場合に、充電電圧は充電接点で零である。即ち、ＣＰＵ＿ＵＡＲＴ＿ＴＸＤが低論理レベルにある場合には、Ｑ１は遮断され、これにより充電電圧が切断される。
【００５７】
基地１．１１がデータを受信するためには、ＣＰＵ＿ＵＡＲＴ＿ＴＸＤは高レベルでなければならず、従って、充電電圧が存在すべきである。送受話器１．１が急速充電電流（一般的に１５０ｍＡよりも多く、通常は例えば２００ｍＡである。）を切り替える場合に、抵抗Ｒ５の端子での電圧は、Ｑ２を飽和させるのに十分である。これは、処理装置１．１３のＵＡＲＴの入力ポート（ＣＰＵ＿ＵＡＲＴ＿ＲＸＤ）で低レベルを送る。送受話器が充電電流を少しずつ流す（ｔｒｉｃｋｌｅ）（一般的には５０ｍＡを下回り、例えば２０ｍＡである。）場合に、Ｒ５の端子での電圧は低すぎるので、Ｑ２は遮断され、処理装置１．１３はＣＰＵ＿ＵＡＲＴ＿ＲＸＤで高レベルを受け取る。
【００５８】
送受話器１．１の充電回路１．２に関して、図６に示されるように、充電電圧は基地１．１１の接点にあり、送受話器１．１の充電回路１．２は、送受話器１．１のＵＡＲＴで高レベルを発生させる。充電電圧が基地１．１１の接点にない場合には、送受話器１．１の充電回路１．２は、送受話器１．１のＵＡＲＴで低レベルを発生させる。言い換えると、（６Ｖよりも大きい）十分な電圧が充電接点にある場合に、送受話器１．１内の処理装置１．３のシリアル受信信号ＵＡＲＴ＿ＲＸＤは、高論理レベルを受信する。３ＶツェナーダイオードＣＲ１０は、処理装置１．３のこの入力での電圧が、充電電圧が閾値レベルをまたぐ場合に３Ｖを超えないことを可能にする。電圧が遮断される場合には、ＵＡＲＴ＿ＲＸＤは低レベルにある。
【００５９】
送受話器１．１の処理装置１．３から出力されるＵＡＲＴレベル関して、出力ＵＡＲＴ＿ＴＸＤが高レベルである場合にはトランジスタＱ１１は遮断され、これによりＱ１２が遮断され、次にＱ１３が遮断される。その場合にのみ、抵抗Ｒ１３（１２０Ωの標準値を有する。）を介してほぼ３０ｍＡ程度での細流充電でしかバッテリーは充電されない。ＵＡＲＴ＿ＴＸＤ出力が低レベルである場合には、Ｑ１１、Ｑ１２及びＱ１３は飽和し、これにより、バッテリーは（基地１．１１において電流制限抵抗Ｒ４によって設定された）１５０ｍＡよりも大きな高電流により再充電されることが可能となる。
【００６０】
言い換えると、送受話器１．１のＵＡＲＴが低レベルを発する場合に、送受話器１．１により引き込まれる充電電流は、急速充電電流に等しい。送受話器１．１のＵＡＲＴが高レベルを発する場合には、送受話器１．１により引き込まれる充電電流は細流充電電流に等しい。送受話器１．１により引き込まれる電流が閾値（およそ１００ｍＡ）よりも大きい場合には、基地１．１１の充電器回路１．１２は、基地１．１１のＵＡＲＴで低レベルを発生させる。送受話器１．１により引き込まれる電流が設定閾値よりも低い場合には、基地１．１１の充電器回路１．１２は、基地１．１１のＵＡＲＴで高レベルを発生させる。
【００６１】
従って、基地と送受話器との間の通信の原理は、以下の通りである：
・基地の送信器が高レベルにある場合に、９Ｖ電圧が接点に存在し、これにより送受話器の受信器には高レベルが送られる；
・基地の送信器が低レベルにある場合に、電圧は遮断され、これにより送受話器の受信器には低レベルが印加される；
・送受話器の送信器が高レベルである場合に、バッテリー充電電流は低レベルであり、これにより基地の受信器には高レベルが送信される；
・送受話器の送信器が低レベルである場合に、バッテリーの充電電流は高レベルであり、これにより基地の受信器へ低レベルが送信される。
【００６２】
留意すべきは、基地が送信中（高残留レベル、充電電圧存在）でない場合にのみ送受話器が基地へデータを送信することができる点である。通信はハーフデュプレックスである。
【産業上の利用可能性】
【００６３】
このメカニズムは、動作中の通信期間を除いて、送受話器の通常の充電動作を提供する。実際には、如何なる送信信号もないことは、標準の充電動作に対応する。
【図面の簡単な説明】
【００６４】
【図１】実施例に従う送受話器及び基地のブロック図である。
【図２】送受話器及び基地の機能図である。
【図３】無線リンクを介する基地と送受話器との間の交換を表す図である。
【図４】ソフトウェアの更新ステップを明記する。
【図５】基地の充電器回路を示す。
【図６】送受話器の充電回路を示す。
【符号の説明】
【００６５】
１．１  送受話器
１．１０，１．１５，１．５  メモリ
１．１１  基地
１．１２  充電器回路
１．１３，１．３  処理装置
１．１４，１．４  無線インターフェース
１．１６  モデム
１．１７  ネットワークインターフェース
１．１８，１．８  内部通信バス
１．２  充電回路
１．２０  バッテリー
１．２１  識別モジュール
１．２２  検出モジュール
１．２３  更新モジュール
１．６  アプリケーションソフトウェア
１．７  スターターソフトウェア
１．９  ユーザインターフェース
２．１  ネットワーク
２．２  サーバ
【図１】
2007159120.tif 000003
【図２】
2007159120.tif 000004
【図３】
2007159120.tif 000005
【図４】
2007159120.tif 000006
【図５】
2007159120.tif 000007
【図６】
2007159120.tif 000008